(57)【要約】【課題】使い勝手に優れた手洗スタンドを提供すること。【解決手段】手洗スタンド１０は、手洗台１２の上端のボウル部１３の中央部に吐水口２３が立設される。この吐水口２３の外周部の円周形状の吐水部２７から前記ボウル部１３に向けて吐水される。吐水口２３の上面に吐水及び止水を切換えるためのハンドル３１が設けられる。【選択図】図２
2018009304.tif 000002
【特許請求の範囲】
【請求項１】
手洗台の上端のボウル部に吐水口を立設し、この吐水口の外周の吐水部から前記ボウル部に向けて吐水するようにした手洗スタンドにおいて、
前記吐水部を横長形状にし、前記吐水口の上面には吐水及び止水を切換えるための切換手段を備えた手洗スタンド。
【請求項２】
前記吐水口は平面円形であって、前記切換手段を吐水口の上面中心部に備えた請求項１に記載の手洗スタンド。
【発明の詳細な説明】
【技術分野】
【０００１】
本発明は、複数人が同時に手洗いをすることに好適な手洗スタンドに関するものである。
【背景技術】
【０００２】
この種の従来構成が特許文献１及び特許文献２に開示されている。
特許文献１には、手洗器が開示されている。
この特許文献１の手洗器においては、バットの中央部に揚水管が立設され、その揚水管の頂端に散水ノズルが設けられている。その散水ノズルの周縁には放射状の細溝を多数設けて、その細溝から水が周囲に散出される。以上のように、この特許文献１の手洗器では、散水ノズルの周縁の多数の細溝から水がシャワー状に散出するため、多人数が一度に手洗いを行い得るとしている。
【０００３】
特許文献２には、洗面台が開示されている。
この特許文献２の洗面台においては、脚部の上端のボール部のほぼ中央に水栓が設けられている。そして、水栓には、複数の吐水口が昇降可能に、かつ旋回可能に設けられている。この特許文献２の洗面台においては、複数人が同時に洗顔や洗髪をできるとしている。
【先行技術文献】
【特許文献】
【０００４】
【特許文献１】特開昭４８−１２１６７号公報
【特許文献２】実開平３−１２２７８４号公報
【発明の概要】
【発明が解決しようとする課題】
【０００５】
しかし、特許文献１の手洗器において、散水ノズルから吐水を行う場合には、足元のフートリングを踏込み操作してフートリングを傾斜させる必要がある。従って、例えば、１８０度離れた２箇所の位置においてフートリングが踏込まれると、フートリングを傾斜させることができず、吐水できない。このため、多人数が同時に手洗いできるようにした手洗器であるにも関わらず、複数人数がフートリングを同時操作すると、吐水できないおそれがある。従って、多人数が同時に手洗いする場合は、フートリングを踏む役目の操作者を限定する必要があって、不便である。また、フートリングを踏んでいた使用者が、手洗いを終えてフートリングから足を外した途端に、止水してしまうため、手洗いを終了していない者が手洗いできなくなり、使い勝手の悪いものであった。
【０００６】
また、特許文献１の手洗器において、バットの下方に設けられているフートリングは、一見しただけでは、その機能を理解し難いだけではなく、足許の邪魔になるものであった。
【０００７】
特許文献２の洗面台においては、吐水口が通常の円筒形であるため、吐水が広がることはなく、このため、吐水口の数以上の人数が同時に手洗いなどをすることは困難である。しかも、特許文献２には、吐水と止水とを切換えるための手段については、開示されていない。従って、洗面台を複数人数が同時使用する場合において、使い勝手に対する配慮が施されているとは言い難い。
【０００８】
本発明の目的は、多人数が一度に手洗いすることができる手洗スタンドにおいて、使い勝手に優れた手洗スタンドを提供することにある。
【課題を解決するための手段】
【０００９】
上記の目的を達成するために、本発明においては、手洗台の上端のボウル部に吐水口を立設し、この吐水口の外周の吐水部から前記ボウル部に向けて吐水するようにした手洗スタンドにおいて、前記吐水部を横長形状にし、前記吐水口の上面には吐水及び止水を切換えるための切換手段を備えたことを特徴とする。
【００１０】
以上の構成においては、吐水口の上面の切換手段を操作することにより、横長形状の吐水部から吐水されるため、複数人が同時に手洗いすることに好適である。そして、吐水及び止水を切換えるための切換手段が吐水口の上面に設けられているため、手洗台の周囲にいる使用者は、だれでも吐水及び止水の切換えや吐水量の調節を行なうことができる。従って、従来構成とは異なり、特定の使用者が操作すると、他の使用者が操作できなくなったり、特定の使用者が操作を終了すると止水状態になったりすることはなく、使い勝手が向上する。
【発明の効果】
【００１１】
本発明によれば、使い勝手に優れた手洗いスタンドを実現できる効果がある。
【図面の簡単な説明】
【００１２】
【図１】第１実施形態の手洗スタンドを示す斜視図。
【図２】第１実施形態の手洗スタンドを示す断面図。
【図３】第１実施形態の吐水口を示す破断平面図。
【図４】第２実施形態の手洗スタンドを示す斜視図。
【図５】第２実施形態の手洗スタンドを示す一部切断斜視図。
【図６】第２実施形態の手洗スタンドの上板を除いた状態を示す斜視図。
【図７】第３実施形態の手洗スタンドを示す斜視図。
【図８】第３実施形態の吐水口を示す平断面図。
【発明を実施するための形態】
【００１３】
（第１実施形態）
以下に、本発明を具体化した第１実施形態の手洗スタンド１０を図１〜図３に従って説明する。
【００１４】
図１及び図２に示すように、建物の床面や地面のコンクリート面などの設置面１１上には、平面円形の手洗台１２が立設され、その上端は、ボウル部１３となっている。ボウル部１３の底面の一部には、排水路１４の上端である排水口１５が開口されている。手洗台１２は下部に行くに従って細くなっている。
【００１５】
手洗台１２の中心には、高強度の保護管２１が貫通され、その内部には、水道管２２が挿通されている。保護管２１の上端には、ボウル部１３の中心部の上方に位置する扁平円形状の吐水口２３が立設されている。この吐水口２３は、空間２４を介して上下に配置された上板２５及び下板２６を備え、それらの外周間には、３６０度の範囲にわたって開口する吐水部２７が形成されている。図３に示すように、前記水道管２２の上端は、前記空間２４内に位置する放出筒２２１に接続されており、その放出筒２２１は、空間２４内に開口する放出孔２８を有している。そして、放出孔２８からの水道水が前記空間２４内に放出され、その空間２４を経て、３６０度の範囲にわたって開口する前記吐水部２７からボウル部１３に向かって吐水される。従って、吐水部２７は、水平な円周方向，すなわち横方向に延在する。本実施形態においては、横方向に延在する形状を横長形状とする。
【００１６】
前記吐水口２３の上面中心には、切換手段としての摘み状のハンドル３１が配置されている。このハンドル３１が回転操作されることにより、バルブ軸３２を介してバルブ３３が切換えられて、吐水及び止水が切換えられるとともに、吐水量が調節される。
【００１７】
従って、以上のように構成された手洗スタンド１０は以下のようにして使用される。
止水状態から、吐水状態に切換えるためには、吐水口２３の上面中心部のハンドル３１を回転操作すればよい。このようにすれば、水道管２２からの水道水が吐水口２３の吐水部２７から３６０度の範囲に吐水される。従って、手洗スタンド１０の周りに位置する複数人数の使用者が同時に手洗いをすることができる。吐水を終了したい場合は、最後に手洗いを終了した使用者がハンドル３１を操作して止水すればよい。
【００１８】
従って、本実施形態においては、以下の効果がある。
（１）吐水及び止水と、吐水量調節とを操作するためのハンドル３１が扁平円形状の吐水口２３の上面中心部に配置されているため、手洗スタンド１０の周囲にいる使用者は、だれでも吐止水の切換えや吐水量の調節を行なうことができる。従って、吐水及び止水が特定の手洗使用者の操作に限定されて、他の手洗使用者が吐止水や吐水量調節などの操作ができなくなったり、特定の使用者が操作を終了すると止水状態になったりする従来構成に比べると、使い勝手が向上する。
【００１９】
（２）吐水及び止水を操作するためのハンドル３１が扁平円形状の吐水口２３の上面中心部に配置されているため、このハンドル３１が吐水，止水及び吐水量調節のためのものであることを一目で認識できて、前記と同様に使い勝手のよいものとなる。
【００２０】
（３）吐水部２７から３６０度の範囲にわたって吐水されるため、手洗スタンド１０の周りに立つ複数人数の使用者が、混雑なく同時に手洗いすることが可能になる。
（４）手洗台１２の下部にフートリングのような操作部を設ける必要がないため、良好な外観を得ることができるとともに、足許に邪魔なものが存在することを回避できる。
【００２１】
（第２実施形態）
次に、本発明の第２実施形態を図４〜図６に基づいて説明する。
本実施形態は、手洗台１２及び吐水口２３が、平面正八角形に形成されている。手洗台１２及び吐水口２３は、それらの辺が平行になる位置関係を有する。上板２５と下板２６との間において、水道管２２に接続されたバルブ３３の周囲には中心空間３０が形成され、放出孔２８からの水道水がこの中心空間３０に吐水される。
【００２２】
前記中心空間３０の中心から外周のコーナ部に延びる放射方向の線上において、上板２５と下板２６との間には、区画壁２９が介在されており、この区画壁２９により、上板２５と下板２６との間において、八角形の辺に開口する複数（８箇所）の空間２４が形成されている。従って、前記八角形の辺にはそれぞれ横長形状の吐水部２７が形成されている。なお、本実施形態においては、溝状の排水口１５がボウル部１３の外周部に設けられている。そして、その排水口１５から落下した排水が手洗台１２の底板１２１によって受けられて、その底板１２１の排水口１６から図示しない排水路に導かれる。
【００２３】
本実施形態においては、複数の各辺の吐水部２７から幅広状に吐水される。
本実施形態では、以下の効果がある。
（５）吐水口２３が平面八角形状に形成されているため、吐水部２７が直線状になる。従って、各辺の直線的な幅広い領域から吐水されるため、手洗いしやすく、使いやすいものとなる。
【００２４】
（第３実施形態）
次に、本発明の第３実施形態を図７及び図８に基づいて説明する。
本実施形態は、手洗台１２及び吐水口２３が平面長方形に形成されている。手洗台１２及び吐水口２３は、それらの長辺どうし及び短辺どうしが平行になる位置関係を有する。また、水道管２２及び放出筒２２１は、複数設けられており、それらの複数の放出筒２２１が、手洗台１２及び吐水口２３の長辺方向に沿って並設され、各放出筒２２１と対応するように、吐水口２３の上面に複数のハンドル３１が配置されている。吐水口２３内は、各放出筒２２１，すなわち各ハンドル３１と対応するように、隔壁３４によって空間２４が区画されている。このため、各空間２４の吐水部２７から他の空間２４の吐水部２７とは無関係に吐水される。なお、手洗台１２の下部側は、幅狭で、かつ薄く形成されている。
【００２５】
従って、前記第３実施形態は以下の効果がある。
（６）第２実施形態と同様に、直線的な幅広い辺から吐水されるため、使いやすいものとなる。
【００２６】
（７）複数のハンドル３１によって、吐水領域，すなわち吐水される吐水部２７を選択できるため、人数の増減に対して柔軟に対応できるとともに、不要な吐水を抑えることができて、節水が可能になる。
【００２７】
（変更例）
本発明は、前記各実施形態に限定されるものではなく、以下のような態様で具体化することもできる。
【００２８】
・前記ハンドル３１に代えて、吐水口２３の上面に感圧スイッチなどのタッチスイッチを設けること。従って、この構成においては、バルブ３３は、電磁バルブが用いられる。
・吐水部２７として、小孔状の吐水孔を横方向に列設した構成を採用すること。本発明においては、このように吐水孔を横方向に列設した構成も横長形状とする。
【００２９】
・吐水口２３をひとつの手洗台１２に複数設けること。
・第２実施形態において、手洗台１２の下側を細くすること。
・第２実施形態において、手洗台１２及び吐水口２３を正八角形以外の形状、例えば、正四角形，正五角形，正六角形などの形状にすること。
【００３０】
・前記実施形態では、吐水口２３の全周に吐水部２７を設けたが、一部に設けること。例えば、正八角形の吐水口２３の４箇所の辺に吐水部２７を設けること。
（他の技術的思想）
前記実施形態から把握される請求項以外の技術的思想は以下の通りである。
【００３１】
（Ａ）吐水口は平面多角形であって、その辺に吐水部を開口した請求項１に記載の手洗スタンド。
（Ｂ）吐水口の内部を複数の空間に区画し、各空間ごとに水道管及び切換手段を配置した請求項１に記載の手洗スタンド。
【００３２】
（Ｃ）前記手洗台の下部側を上部側より細くした請求項１，２，前記技術的思想（Ａ），（Ｂ）項のうちのいずれか一項に記載の手洗スタンド。なお、ここで、細くするということは、幅狭にしたり、薄くしたりすることを含む。
【符号の説明】
【００３３】
１０…手洗スタンド、１２…手洗台、１３…ボウル部、２２…水道管、２３…吐水口、２７…吐水部、３１…ハンドル。
【図１】
2018009304.tif 000003
【図２】
2018009304.tif 000004
【図３】
2018009304.tif 000005
【図４】
2018009304.tif 000006
【図５】
2018009304.tif 000007
【図６】
2018009304.tif 000008
【図７】
2018009304.tif 000009
【図８】
2018009304.tif 000010